【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
印刷機であって、
常駐印刷機カットオフと、
新聞紙基材のロールと、
前記印刷機内に前記新聞紙基材のロールを装填することによって形成されると共に画像が印刷されるウェブであって、前記ウェブ上に印刷される一画像の開始点から次の画像の開始点までを測定した距離は前記常駐印刷機カットオフに等しいウェブと、
高品質印刷済み基材のロールであって、
印刷済み画像および相当カットオフであって、前記相当カットオフは前記常駐印刷機カットオフよりも大きなものである、印刷済み画像および相当カットオフと、
前記印刷機内に前記高品質印刷済み基材のロールを装填することによって形成される印刷済みウェブであって、前記印刷済みウェブは組み合わされたウェブが断裁位置に到達する前に前記ウェブと組み合わされる、印刷済みウェブと、を備える高品質印刷済み基材のロールと、
前記印刷済みウェブを制御するために前記印刷機に設置される位置合せ制御システムであって、
前記印刷済みウェブと結び付けられた位置合せローラであって、常駐印刷機断裁ナイフの断裁動作に対して印刷済み画像の位置を変更することが可能な位置合せローラと、
前記常駐印刷機断裁ナイフの断裁動作に対して印刷済み画像の速度および位置を検出することができるセンサ一式と、
前記センサ一式からの信号を受信すると共に前記位置合せローラを制御するためのコンピューティング装置と、を備える、位置合せ制御システムと、
を備える、印刷機。
【請求項２】
高品質印刷済み基材の前記ロールは、さらにタイミングマークを備える、請求項１に記載の装置。
【請求項３】
前記センサ一式は、印刷機パルス発生器を備える、請求項１に記載の装置。
【請求項４】
前記センサ一式は、前記タイミングマークを検出することができるセンサを備える、請求項２に記載の装置。
【請求項５】
前記センサ一式は、前記常駐印刷機断裁ナイフの断裁動作を検出することができるセンサを備える、請求項１に記載の装置。
【請求項６】
印刷機であって、
前記印刷機内に新聞紙基材のロールを装填することによって形成されると共に画像が印刷されるウェブであって、前記ウェブ上に印刷される一画像の開始点から次の画像の開始点までを測定した距離は常駐印刷機カットオフに等しいウェブと、
高品質印刷済み基材の第１のロールであって、第１の印刷済み画像および第１の相当カットオフを備え、前記第１の相当カットオフは前記常駐印刷機カットオフよりも大きなものである、高品質印刷済み基材の第１のロールと、
高品質印刷済み基材の第２のロールであって、第２の印刷済み画像および第２の相当カットオフを備え、前記第２の相当カットオフは前記常駐印刷機カットオフよりも大きなものである、高品質印刷済み基材の第２のロールと、
前記印刷機内に前記印刷済み基材の第１のロールを装填することによって形成される第１の印刷済みウェブ、および前記印刷機内に前記印刷済み基材の第２のロールを装填することによって形成される第２の印刷済みウェブであって、前記第１および第２の印刷済みウェブは前記ウェブが断裁位置に到達する前に前記ウェブと組み合わされる、第１および第２の印刷済みウェブと、
前記第１および第２の印刷済みウェブを制御するために前記印刷機に設置される位置合せ制御システムであって、
前記第１の印刷済みウェブと結び付けられた第１の位置合せローラであって、常駐印刷機断裁ナイフの断裁動作に対して第１の印刷済み画像の位置を変更することが可能な第１の位置合せローラと、
前記第２の印刷済みウェブと結び付けられた第２の位置合せローラであって、常駐印刷機断裁ナイフの断裁動作に対して第２の印刷済み画像の位置を変更することが可能な第２の位置合せローラと、
前記常駐印刷機断裁ナイフの断裁動作に対して第１および第２の印刷済み画像の速度および位置を検出することができるセンサ一式と、
前記センサ一式からの信号を受信すると共に前記第１および第２の位置合せローラを制御するためのコンピューティング装置と、を備える、位置合せ制御システムと、
を備える、印刷機。
【請求項７】
前記第１および第２の印刷済みウェブはタイミングマークを備える、請求項６に記載の装置。
【請求項８】
新聞を作製するための方法であって、
常駐印刷機カットオフを備えた印刷機を提供するステップと、
新聞紙基材のロールを提供するステップと、
前記印刷機内に前記新聞紙基材のロールを装填すると共に画像を印刷することによってウェブを形成するステップであって、前記ウェブ上に印刷される一画像の開始点から次の画像の開始点までを測定した距離は前記常駐印刷機カットオフに等しいものであるステップと、
印刷済み画像および相当カットオフを備える高品質印刷済み基材のロールを提供するステップであって、前記相当カットオフは前記常駐印刷機カットオフよりも大きなものである、ステップと、
前記印刷機内に前記高品質印刷済み基材のロールを装填することによって印刷済みウェブを形成するステップと、
前記印刷済みウェブを制御するために前記印刷機に設置される位置合せ制御システムを提供するステップであって、前記位置合せ制御システムは、
前記印刷済みウェブと結び付けられた位置合せローラであって、常駐印刷機断裁ナイフの断裁動作に対して印刷済み画像の位置を変更することが可能な位置合せローラと、
前記常駐印刷機断裁ナイフの断裁動作に対して印刷済み画像の速度および位置を検出することができるセンサ一式と、
前記センサ一式からの信号を受信すると共に前記位置合せローラを制御するためのコンピューティング装置と、を備えるものであるステップと、
前記印刷機を作動させるステップと、
前記常駐印刷機断裁ナイフの前記断裁動作に対して印刷済み画像の位置を検出するステップと、
前記位置合わせローラの速度を調整することによって前記常駐印刷機断裁ナイフの断裁動作に対して前記印刷済み画像を長手方向に位置合わせするステップと、
前記ウェブと前記印刷済みウェブとを組み合わせるステップと、
組み合わされたウェブを、新聞を形作るように断裁するステップと
を備える、新聞を作製するための方法。
【請求項９】
新聞を作製するための方法であって、
常駐印刷機カットオフを備えた印刷機を提供するステップと、
新聞紙基材のロールを提供するステップと、
前記印刷機内に前記新聞紙基材のロールを装填すると共に前記新聞紙基材に画像を印刷するステップであって、ウェブ上に印刷される一画像の開始点から次の画像の開始点までを測定した距離は前記常駐印刷機カットオフに等しいものであるステップと、
第１の印刷済み画像および第１の相当カットオフを備える高品質印刷済み基材の第１のロールを提供するステップであって、前記第１の相当カットオフは前記常駐印刷機カットオフよりも大きなものである、ステップと、
第２の印刷済み画像および第２の相当カットオフを備える高品質印刷済み基材の第２のロールを提供するステップであって、前記第２の相当カットオフは前記常駐印刷機カットオフよりも大きなものである、ステップと、
前記印刷機内に前記高品質印刷済み基材の第１のロールを装填することによって第１の印刷済みウェブを形成するステップと、
前記印刷機内に前記高品質印刷済み基材の第２のロールを装填することによって第２の印刷済みウェブを形成するステップと、
前記第１および第２の印刷済みウェブを制御するために前記印刷機に設置される位置合せ制御システムを提供するステップであって、前記位置合せ制御システムは、
前記第１の印刷済みウェブと結び付けられた第１の位置合せローラであって、常駐印刷機断裁ナイフの断裁動作に対して第１の印刷済み画像の位置を変更することが可能な第１の位置合せローラと、
前記第２の印刷済みウェブと結び付けられた第２の位置合せローラであって、常駐印刷機断裁ナイフの断裁動作に対して第２の印刷済み画像の位置を変更することが可能な第２の位置合せローラと、
前記常駐印刷機断裁ナイフの断裁動作に対して第１および第２の印刷済み画像の速度および位置を検出することができるセンサ一式と、
前記センサ一式からの信号を受信すると共に前記第１および第２の位置合せローラを制御するためのコンピューティング装置と、を備えるものであるステップと、
前記印刷機を作動させるステップと、
前記常駐印刷機断裁ナイフの前記断裁動作に対して第１の印刷済み画像の位置を検出するステップと、
前記第１の位置合わせローラの速度を調整することによって前記常駐印刷機断裁ナイフの断裁動作に対して前記第１の印刷済み画像を長手方向に位置合わせするステップと、
前記常駐印刷機断裁ナイフの前記断裁動作に対して第２の印刷済み画像の位置を検出するステップと、
前記第２の位置合わせローラの速度を調整することによって前記常駐印刷機断裁ナイフの断裁動作に対して前記第２の印刷済み画像を長手方向に位置合わせするステップと、
前記ウェブと前記第１および第２の印刷済みウェブとを組み合わせるステップと、
組み合わされたウェブを、新聞を形作るように断裁するステップと
を備える、新聞を作製するための方法。